(57)【要約】【課題】外装体と複数の蓄電素子とを備える蓄電装置であって、安全性が向上された蓄電装置を提供すること。【解決手段】蓄電装置１０は、複数の蓄電素子３００を含む蓄電素子ユニット３５０と、蓄電素子ユニット３５０を覆う外装体１１と、外装体の側壁１１３の外面１１３ａと内面１１３ｂとの間に配置された第一導電板５００と、側壁１１３の厚み方向において、第一導電板５００と対向しかつ離隔して配置された第二導電板６００とを備え、第一導電板５００は、蓄電素子ユニット３５０の正極及び負極の一方と接続されており、第二導電板６００は、蓄電素子ユニット３５０の正極及び負極の他方と接続されている。【選択図】図６
2018056098.tif 000002
【特許請求の範囲】
【請求項１】
複数の蓄電素子を含む蓄電素子ユニットと、
前記蓄電素子ユニットを覆う外装体と、
前記外装体の壁の外面と内面との間に配置された第一導電板と、
前記壁の厚み方向において、前記第一導電板と対向しかつ離隔して配置された第二導電板とを備え、
前記第一導電板は、前記蓄電素子ユニットの正極及び負極の一方と接続されており、
前記第二導電板は、前記蓄電素子ユニットの前記正極及び前記負極の他方と接続されている
蓄電装置。
【請求項２】
前記第二導電板は、前記外装体の前記壁の外面と内面との間において、前記第一導電板と対向しかつ離隔して配置されている
請求項１記載の蓄電装置。
【請求項３】
前記外装体は、絶縁性素材で形成されており、
前記第一導電板と前記第二導電板とは、前記壁の一部を挟んだ状態で、離隔して配置されている
請求項２記載の蓄電装置。
【請求項４】
前記外装体の前記壁は、前記蓄電素子ユニットを囲むように配置されており、
前記第一導電板及び前記第二導電板は、前記蓄電素子ユニットを囲むように配置されている
請求項１〜３のいずれか１項に記載の蓄電装置。
【請求項５】
前記外装体の前記壁の一部は、前記外装体の底面を形成する底壁であり、
前記第一導電板の一部は、前記底壁の外面と内面との間に配置されており、
前記第二導電板の一部は、前記底壁の外面と内面との間に配置された前記第一導電板の一部と対向しかつ離隔して配置されている
請求項１〜４のいずれか１項に記載の蓄電装置。
【請求項６】
前記第一導電板は、前記蓄電素子ユニットの負極と接続されており、
前記第二導電板は、前記蓄電素子ユニットと前記第一導電板との間に配置されている
請求項１〜５のいずれか１項に記載の蓄電装置。
【請求項７】
前記外装体は、前記蓄電素子ユニットを収容する外装体本体と、前記外装体本体の開口を塞ぐ蓋体とを有し、
前記第一導電板は、前記外装体本体に含まれる前記壁の外面と内面との間に配置されている
請求項１〜６のいずれか１項に記載の蓄電装置。
【請求項８】
前記第二導電板として、前記複数の蓄電素子を、前記複数の蓄電素子を並び方向に圧迫した状態で固定する拘束部材が備えられている
請求項１〜７のいずれか１項に記載の蓄電装置。
【請求項９】
前記第二導電板は、前記複数の蓄電素子のそれぞれが有する容器であって、当該蓄電素子の正極または負極の一方と電気的に接続された容器によって構成されている
請求項１〜７のいずれか１項に記載の蓄電装置。
【請求項１０】
前記第一導電板及び前記第二導電板の少なくとも一方は、前記蓄電素子ユニットの前記正極または前記負極と、抵抗体を介して接続されている
請求項１〜９のいずれか１項に記載の蓄電装置。
【請求項１１】
複数の蓄電素子を含む蓄電素子ユニットと、
前記蓄電素子ユニットを覆う外装体と、
前記外装体の外部に配置された第一導電板と、
前記外装体の内部に配置された第二導電板であって、前記第一導電板と対向する位置に配置された第二導電板とを備え、
前記第一導電板は、前記蓄電素子ユニットの正極及び負極の一方と接続されており、
前記第二導電板は、前記蓄電素子ユニットの前記正極及び前記負極の他方と接続されている
蓄電装置。
【発明の詳細な説明】
【技術分野】
【０００１】
本発明は、外装体と複数の蓄電素子とを備える蓄電装置に関する。
【背景技術】
【０００２】
従来、外装体の内方に複数の蓄電素子が収容された蓄電装置が知られている。これら複数の蓄電素子のそれぞれは、例えば、容器と、容器に収容された電極体及び電解液とを備える。蓄電素子が備える電解液として、可燃性の有機液体が用いられる場合もあり、そのため、蓄電素子には各種の安全対策がなされている。
【０００３】
例えば、特許文献１には、金属箔層と樹脂層または金属箔層と樹脂層と接着剤層からなるシートが、電池金属ケース胴体部に前記金属箔層が電池の外側になるように巻きついた構造を有するリチウムイオン電池が開示されている。このリチウムイオン電池では、金属箔は電池金属ケースとは異極にある端子部と電気的に接続されている。特許文献１では、上記構成を有するリチウムイオン電池に、例えば外部から異常な圧力変形等が与えられた場合に、電池金属ケース胴体部と金属箔とが容易に短絡状態となり、その結果、安全に電池自身の機能をなくすことができる旨が記載されている。
【先行技術文献】
【特許文献】
【０００４】
【特許文献１】特開２００４−１５２５７９号公報
【発明の概要】
【発明が解決しようとする課題】
【０００５】
ここで、蓄電素子を複数備える蓄電装置において、個々の蓄電素子に、例えば上記従来の技術におけるリチウムイオン電池のような安全機構を備えさせることで、蓄電装置としての安全性の向上を図ることが考えられる。しかしながらこの場合、例えば、個々の蓄電素子のサイズが大きくなることに伴い、蓄電装置のサイズも大きくなる。また、衝突等の異常時において、仮に、複数の蓄電素子のうちの１つの蓄電素子の安全機構が機能しなかった場合、その１つの蓄電素子が高温状態になることで、他の蓄電素子が高温にさらされ、結果として蓄電装置がさらに不安定な状態となる可能性がある。
【０００６】
本発明は、上記従来の課題を考慮し、外装体と複数の蓄電素子とを備える蓄電装置であって、安全性が向上された蓄電装置を提供することを目的とする。
【課題を解決するための手段】
【０００７】
上記目的を達成するために、本発明の一態様に係る蓄電装置は、複数の蓄電素子を含む蓄電素子ユニットと、前記蓄電素子ユニットを覆う外装体と、前記外装体の壁の外面と内面との間に配置された第一導電板と、前記壁の厚み方向において、前記第一導電板と対向しかつ離隔して配置された第二導電板とを備え、前記第一導電板は、前記蓄電素子群の正極及び負極の一方と接続されており、前記第二導電板は、前記蓄電素子群の前記正極及び前記負極の他方と接続されている。
【０００８】
この構成によれば、例えば、蓄電装置を備える車両の衝突事故等に起因して、外部の金属片等の導電物が外装体の壁に突き刺さった場合、その導電物が蓄電素子に至る前に、第一導電板と第二導電板とが導電物を介して導通される。これにより、蓄電素子ユニットに含まれる複数の蓄電素子は、一括して放電経路が生じた状態となる。その結果、複数の蓄電素子の電気エネルギーが早期に消費され、これにより、不安全事象の緩和が図られる。すなわち、異常の発生時における事態の悪化を抑制することができる。このように、本態様に係る蓄電装置は、安全性が向上された蓄電装置である。
【０００９】
また、例えば、複数の蓄電素子のそれぞれに対して２枚の導電板を配置する場合と比較すると、これら導電板の配置のために消費される空間が少ない。このことは、蓄電装置の蓄電容量の増加（エネルギー密度の向上）等の観点から有利である。さらに、第一導電板は、壁の外面と内面との間に収められるため、これにより、例えば、蓄電装置の小型化も可能となる。また、第一導電板は、壁の肉によって保護されるため、例えば、通常時における振動の繰り返し等に起因する第一導電板の損傷または劣化が抑制される。さらに、壁に配置された第一導電板は、例えば、外装体の強度を向上させる補強部材としても機能する。これらの効果は、蓄電装置の安全性の向上に寄与する。
【００１０】
また、本発明の一態様に係る蓄電装置において、前記第二導電板は、前記外装体の前記壁の外面と内面との間において、前記第一導電板と対向しかつ離隔して配置されている、としてもよい。
【００１１】
この構成によれば、第一導電板に加え、第二導電板も外装体の壁の外面と内面との間に配置されるため、これら２枚の導電板の損傷または劣化が抑制される。また、外装体の強度もさらに向上する。さらに、２枚の導電板を外装体と一体の部材として扱うことができるため、例えば、蓄電装置の組み立てを効率よく行うことができる。また、外装体の内部空間を消費せずに２枚の導電板を配置することができるため、内部空間を、蓄電容量の増加のために、さらに有効に利用することができる。
【００１２】
また、本発明の一態様に係る蓄電装置において、前記外装体は、絶縁性素材で形成されており、前記第一導電板と前記第二導電板とは、前記壁の一部を挟んだ状態で、離隔して配置されている、としてもよい。
【００１３】
この構成によれば、第一導電板と第二導電板との間に、例えば絶縁性の樹脂からなる壁の一部が介在すること、つまり、２枚の導電板間に樹脂が充填されることで、例えば、通常時における、２枚の導電板の電気的な絶縁の確実性が向上する。また、これら２枚の導電板の位置の固定が安定化する。
【００１４】
また、本発明の一態様に係る蓄電装置において、前記外装体の前記壁は、前記蓄電素子ユニットを囲むように配置されており、前記第一導電板及び前記第二導電板は、前記蓄電素子ユニットを囲むように配置されている、としてもよい。
【００１５】
この構成によれば、蓄電素子ユニットの周囲が第一導電板及び第二導電板に囲まれるため、例えば衝突事故の発生時に金属片等が外装体に突き刺さった場合における、外部短絡の発生可能性が向上する。つまり、異常の発生時における事態の悪化の抑制がより確実化される。
【００１６】
また、本発明の一態様に係る蓄電装置において、前記外装体の前記壁の一部は、前記外装体の底面を形成する底壁であり、前記第一導電板の一部は、前記底壁の外面と内面との間に配置されており、前記第二導電板の一部は、前記底壁の外面と内面との間に配置された前記第一導電板の一部と対向しかつ離隔して配置されている、としてもよい。この構成によれば、例えば衝突の発生時に金属片等が外装体の底壁に突き刺さった場合であっても、複数の発電素子を一括して外部短絡の状態にすることができる。つまり、異常の発生時において、事態の悪化を抑制できる可能性が向上する。
【００１７】
また、本発明の一態様に係る蓄電装置において、前記第一導電板は、前記蓄電素子ユニットの負極と接続されており、前記第二導電板は、前記蓄電素子ユニットと前記第一導電板との間に配置されている、としてもよい。
【００１８】
ここで、例えば自動車にエンジンの始動用バッテリーとして蓄電装置が搭載された場合、一般に自動車の車体は蓄電装置の負極と電気的に接続される。従って、例えば衝突事故の発生時において、外装体の壁に突き刺さった金属片の移動が、仮に第一導電板と接触した時点で停止し、かつ、金属片と車体とが接触している場合、金属片は、同電位の第一導電板と導通した状態となり、外部短絡は生じない。つまり、本態様の蓄電装置は、外部短絡の発生を極力避けながら、最終的には外部短絡を発生させることができる構造を有している。
【００１９】
また、本発明の一態様に係る蓄電装置において、前記外装体は、前記蓄電素子ユニットを収容する外装体本体と、前記外装体本体の開口を塞ぐ蓋体とを有し、前記第一導電板は、前記外装体本体に含まれる前記壁の外面と内面との間に配置されている、としてもよい。
【００２０】
この構成によれば、第一導電板及び第二導電板は外装体本体に配置されるため、例えば、蓋体は、第一導電板及び第二導電板の存在に制限されずに、形状及びサイズ等を決定することができる。そのため、例えば、蓋体を、回路基板等の部材の配置に最適な形状にすることができる。
【００２１】
また、本発明の一態様に係る蓄電装置において、前記第二導電板として、前記複数の蓄電素子を、前記複数の蓄電素子を並び方向に圧迫した状態で固定する拘束部材が備えられている、としてもよい。
【００２２】
この構成によれば、例えば、本来的には別用途の部材である拘束部材に第二導電板としての役割を担わせることができ、これにより、例えば、蓄電装置の構成が簡略化される。
【００２３】
また、本発明の一態様に係る蓄電装置において、前記第二導電板は、前記複数の蓄電素子のそれぞれが有する容器であって、当該蓄電素子の正極または負極の一方と電気的に接続された容器によって構成されている、としてもよい。
【００２４】
この構成によれば、例えば、本来的には別用途の部材である、蓄電素子の容器に第二導電板としての役割を担わせることができ、これにより、例えば、蓄電装置の構成が簡略化される。
【００２５】
また、本発明の一態様に係る蓄電装置において、前記第一導電板及び前記第二導電板の少なくとも一方は、前記蓄電素子ユニットの前記正極または前記負極と、抵抗体を介して接続されている、としてもよい。
【００２６】
この構成によれば、例えば、第一導電板及び第二導電板が導通した場合に、蓄電素子ユニットに流れる電流が過大になりすぎる可能性が低減される。
【００２７】
また、本発明の一態様に係る蓄電装置は、複数の蓄電素子を含む蓄電素子ユニットと、前記蓄電素子ユニットを覆う外装体と、前記外装体の外部に配置された第一導電板と、前記外装体の内部に配置された第二導電板であって、前記第一導電板と対向する位置に配置された第二導電板とを備え、前記第一導電板は、前記蓄電素子ユニットの正極及び負極の一方と接続されており、前記第二導電板は、前記蓄電素子ユニットの前記正極及び前記負極の他方と接続されている、としてもよい。
【００２８】
このように、外装体の外部に第一導電板が配置された場合であっても、蓄電素子ユニットの正極及び負極のそれぞれに接続された２枚の導電板（第一導電板及び第二導電板）が対向して配置される。そのため、例えば、過大な衝撃によって、外装体が損傷するような事態が生じた場合等において、第一導電板と第二導電板とが導通することで、複数の蓄電素子が外部短絡の状態となる。その結果、複数の蓄電素子の電気エネルギーが急速に消費され、これにより、異常の発生時における事態の悪化が抑制される。
【発明の効果】
【００２９】
本発明によれば、複数の蓄電素子と外装体とを備える蓄電装置であって、安全性が向上された蓄電装置を提供することができる。
【図面の簡単な説明】
【００３０】
【図１】実施の形態に係る蓄電装置の外観を示す斜視図である。
【図２】実施の形態に係る蓄電装置を分解した場合の各構成要素を示す分解斜視図である。
【図３】実施の形態に係る蓄電素子の外観を示す斜視図である。
【図４】実施の形態に係る外装体本体の外観を示す斜視図である。
【図５】実施の形態に係る外装体の側壁の部分断面を示す断面図である。
【図６】実施の形態に係る第一導電板及び第二導電板の配置位置を説明するための模式図である。
【図７】実施の形態の変形例１に係る外装体の側壁の部分断面を示す断面図である。
【図８】実施の形態の変形例２に係る外装体の底壁の部分断面を示す断面図である。
【図９】実施の形態の変形例２に係る第一導電板の構成を示す外観斜視図である。
【図１０】実施の形態の変形例３に係る外装体の側壁の部分断面を示す断面図である。
【図１１】内箱と外箱とで構成される外装体本体における、第一導電板及び第二導電板の配置位置の例を示す図である。
【図１２】拘束部材が第二導電板として用いられている蓄電装置の構成概要を示す斜視図である。
【図１３】蓄電素子の容器が第二導電板として用いられている蓄電装置の構成概要を示す模式図である。
【図１４】外装体の外部に第一導電板が配置されている蓄電装置の構成概要を示す模式図である。
【発明を実施するための形態】
【００３１】
以下、本発明の実施の形態及びその変形例について、図面を参照しながら説明する。以下で説明する実施の形態及びその変形例は、いずれも包括的または具体的な例を示すものである。以下の実施の形態及びその変形例で示される数値、形状、材料、構成要素、構成要素の配置位置及び接続形態、工程、工程の順序などは、一例であり、本発明を限定する主旨ではない。また、以下の実施の形態及びその変形例における構成要素のうち、最上位概念を示す独立請求項に記載されていない構成要素については、任意の構成要素として説明される。
【００３２】
なお、各図は、模式図であり、必ずしも厳密に図示されたものではない。また、各図において、実質的に同一の構成に対しては同一の符号を付しており、重複する説明は省略又は簡略化する場合がある。
【００３３】
（実施の形態）
まず、蓄電装置１０の構成について説明する。図１は、実施の形態に係る蓄電装置１０の外観を示す斜視図である。図２は、実施の形態に係る蓄電装置１０を分解した場合の各構成要素を示す分解斜視図である。
【００３４】
なお、これらの図では、Ｚ軸方向を上下方向として示しており、以下ではＺ軸方向を上下方向として説明するが、使用態様によってはＺ軸方向が上下方向にならない場合も考えられるため、Ｚ軸方向は上下方向となることには限定されない。以下の図においても、同様である。
【００３５】
蓄電装置１０は、外部からの電気を充電し、また外部へ電気を放電することができる装置である。蓄電装置１０は、電力貯蔵用途や電源用途などに使用される電池モジュールである。蓄電装置１０は、例えば、２輪車または４輪車等の車両に、エンジンの始動用のバッテリー、または、アシスト用モータの駆動のためのバッテリーとして用いられる場合がある。また、蓄電装置１０は、例えば、電気自動車（ＥＶ）、プラグインハイブリッド電気自動車（ＰＨＥＶ）、ハイブリッド電気自動車（ＨＥＶ）などの動力源（走行駆動用モータの駆動用の蓄電装置）として用いられる場合もある。
【００３６】
図１及び図２に示すように、蓄電装置１０は、複数の蓄電素子３００を含む蓄電素子ユニット３５０と、蓄電素子ユニット３５０を覆う外装体１１とを備える。本実施の形態では、蓄電素子ユニット３５０に含まれる複数の蓄電素子３００は、バスバー４００によって直列に接続されており、Ｘ軸方向の最もマイナス側の蓄電素子３００の正極端子３２０が、蓄電素子ユニット３５０の正極端子３５１として扱われる。また、Ｘ軸方向の最もプラス側の蓄電素子３００の負極端子３３０が、蓄電素子ユニット３５０の負極端子３５２として機能する。つまり、正極端子３５１は、総プラス端子であり、負極端子３５２は、総マイナス端子である。
【００３７】
外装体１１は、蓄電装置１０の外装体を構成する矩形状（箱状）の容器（モジュールケース）である。外装体１１は、蓄電素子ユニット３５０を覆い、蓄電素子３００等を衝撃などから保護することができる。外装体１１は、例えばポリカーボネート（ＰＣ）、ポリプロピレン（ＰＰ）、ポリエチレン（ＰＥ）、ポリフェニレンサルファイド樹脂（ＰＰＳ）、ポリブチレンテレフタレート（ＰＢＴ）またはＡＢＳ樹脂等の絶縁性の樹脂材料により構成されている。
【００３８】
ここで、外装体１１は、蓄電素子ユニット３５０を収容する外装体本体１００と、外装体本体１００の開口を塞ぐ蓋体２００とを有している。
【００３９】
外装体本体１００は、外装体１１の本体部を構成する部材であり、具体的には、上部に開口が形成された有底矩形筒状のハウジングである。この開口から、複数の蓄電素子３００が挿入されて、外装体本体１００内に収容される。具体的には、外装体本体１００は、内方に複数の仕切部１２０を有しており、当該複数の仕切部１２０のうちの隣り合う２つの仕切部１２０の間に、蓄電素子３００のそれぞれが挿入されて収容される。
【００４０】
蓋体２００は、外装体本体１００の開口を閉塞する扁平な矩形状のカバー部材である。また、蓋体２００には、正極外部端子２１０と負極外部端子２２０とが設けられている。蓄電装置１０は、この正極外部端子２１０と負極外部端子２２０とを介して、外部からの電気を充電し、また外部へ電気を放電する。
【００４１】
具体的には、図２に示すように、蓄電素子ユニット３５０の正極端子３５１に接合された正極リード板４１０と正極外部端子２１０とがバスバー等の導電部材（図２では破線で概念的に図示）によって接続される。また、蓄電素子ユニット３５０の負極端子３５２に接合された負極リード板４２０と負極外部端子２２０とがバスバー等の導電部材（図２では２点鎖線で概念的に図示）によって接続される。
【００４２】
なお、外装体本体１００と蓋体２００とは、同じ材質の部材で形成されていてもよいし、異なる材質の部材で形成されていてもかまわない。また、例えば蓋体２００の内方には、蓄電素子ユニット３５０の充電及び放電を制御する回路基板やリレーなどの電気機器が配置されていてもよい。
【００４３】
また、本実施の形態では、外装体１１には、２枚の導電板が配置されており、これら２枚の導電板の一方は、蓄電素子ユニット３５０の負極端子３５２と接続され、他方は、蓄電素子ユニット３５０の正極端子３５１と接続されている。なお、図２では、当該一方の導電板に設けられた接続部５１０と、当該他方の導電板に設けられた接続部６１０とが図示されている。これら２枚の導電板の外装体１１における配置位置等については、図５及び図６を用いて後述する。
【００４４】
蓄電素子３００は、電気を充電し、また、電気を放電することのできる二次電池（単電池）であり、より具体的には、リチウムイオン二次電池などの非水電解質二次電池である。蓄電素子３００は、扁平な角型の形状を有しており、本実施の形態では、外装体１１内に８個の蓄電素子３００がＸ軸方向に並べられて収容されている。なお、蓄電素子３００は、非水電解質二次電池には限定されず、非水電解質二次電池以外の二次電池（例えば、ニッケル・カドミウム電池、及び、ニッケル水素電池など）であってもよいし、キャパシタであってもよい。更に、使用者が充電をしなくても蓄えられている電気を使用できる一次電池であってもよい。
【００４５】
また、蓄電装置１０が備える蓄電素子３００の数は８には限定されず、例えば蓄電装置１０に求められる出力電圧に応じて、蓄電素子３００の数を調整することも可能である。
【００４６】
バスバー４００は、複数の蓄電素子３００の上方に配置され、複数の蓄電素子３００同士を電気的に接続する金属などの導電性の板状部材である。具体的には、バスバー４００は、隣接する蓄電素子３００において、一の蓄電素子３００の正極端子３２０と、他の蓄電素子３００の負極端子３３０とを接続する。本実施の形態では、７つのバスバー４００によって、８個の蓄電素子３００が直列に接続されることで、８個の蓄電素子３００を含む蓄電素子ユニット３５０が構成されている。
【００４７】
なお、蓄電素子ユニット３５０における複数の蓄電素子３００の電気的な接続の態様は直列には限定されない。例えば、並列に接続された２個の蓄電素子３００をサブユニットとした場合、４つのサブユニットを直列に接続することで、１つの蓄電素子ユニット３５０が構成されていてもよい。
【００４８】
次に、蓄電素子３００の構成について図３を用いて説明する。図３は、実施の形態に係る蓄電素子３００の外観を示す斜視図である。
【００４９】
同図に示すように、蓄電素子３００は、容器３１０と、正極端子３２０と、負極端子３３０とを備えている。なお、容器３１０の内方には、電極体（蓄電要素）、正極集電体、負極集電体等が配置され、また、電解液（非水電解質）が封入されている。
【００５０】
容器３１０は、同図におけるＺ軸方向マイナス側に底面部３１１、Ｘ軸方向両側の側面に長側面部３１２、Ｙ軸方向両側の側面に短側面部３１３、及び、Ｚ軸方向プラス側に容器蓋部３１４を有する直方体形状（角型）の容器である。底面部３１１は、容器３１０の底面を形成する矩形状の部位であり、長側面部３１２は、容器３１０の長側面を形成する矩形状の部位であり、短側面部３１３は、容器３１０の短側面を形成する矩形状の部位である。また、容器蓋部３１４は、容器３１０の蓋を構成する矩形状の部材である。
【００５１】
つまり、容器３１０は、底面部３１１と２つの長側面部３１２と２つの短側面部３１３とで、矩形筒状で底を備える容器本体を構成し、当該容器本体の開口を容器蓋部３１４が閉塞する構成となっている。具体的には、容器３１０は、電極体等を当該容器本体の内方に収容後、当該容器本体と容器蓋部３１４とが溶接等されることにより、内部を密封することができる構造を有している。
【００５２】
なお、容器３１０（容器本体及び容器蓋部３１４）の材質は、特に限定されないが、例えばステンレス鋼、アルミニウム、アルミニウム合金など溶接可能な金属であるのが好ましい。また、容器蓋部３１４には、容器３１０内方の圧力を開放するガス排出弁３１９が設けられている。
【００５３】
また、容器３１０に収容される電極体は、負極と正極とセパレータとが巻き回されて形成された巻回型形状であってもよいし、平板状極板を積層した形状でもよい。また、例えば、長尺帯状の極板を山折りと谷折りとの繰り返しによって蛇腹状に積層した構造を有する電極体であってもよい。また、電極体が巻回型形状である場合、巻回軸はＹ軸方向に平行であってもよく、Ｚ軸方向に平行であってもよい。電極体に用いられる正極活物質または負極活物質としては、蓄電素子３００の性能を損なうものでなければ適宜公知の材料を使用できる。また、容器３１０に封入される電解液としても、蓄電素子３００の性能を損なうものでなければその種類に特に制限はなく様々なものを選択することができる。
【００５４】
正極端子３２０は、正極集電体を介して、電極体の正極に電気的に接続された電極端子であり、負極端子３３０は、負極集電体を介して、電極体の負極に電気的に接続された電極端子であり、いずれも容器蓋部３１４に取り付けられている。
【００５５】
次に、外装体１１の外装体本体１００の構成について図４を用いて説明する。図４は、実施の形態に係る外装体本体１００の外観を示す斜視図である。
【００５６】
同図に示すように、外装体本体１００は、筐体１１０と仕切部１２０とを有している。また、筐体１１０は、Ｚ軸方向マイナス側に配置される底壁１１１と、Ｙ軸方向両側に配置される２つの側壁１１２と、Ｘ軸方向両側に配置される２つの側壁１１３とを有している。これら底壁１１１、側壁１１２、及び側壁１１３のそれぞれ及びこれらの組み合わせは、外装体が有する壁の一例である。
【００５７】
底壁１１１は、外装体本体１００の底面を形成する矩形状かつ平板形状の部位である。また、側壁１１２は、底壁１１１の長辺側の端縁から立設した、外装体本体１００の長側壁を形成する矩形状かつ平板形状の部位である。また、側壁１１３は、底壁１１１の短辺側の端縁から立設した、外装体本体１００の短側壁を形成する矩形状かつ平板形状の部位である。
【００５８】
つまり、筐体１１０は、底壁１１１と底壁１１１の四方を囲う側壁１１２及び１１３とで構成され、上部に開口が形成された有底矩形筒状の部材である。
【００５９】
仕切部１２０は、筐体１１０の内方に配置され、複数の蓄電素子３００の間を仕切る矩形状かつ平板形状の仕切板である。仕切部１２０は、複数の蓄電素子３００のうちの隣り合う２つの蓄電素子３００の間及び端部の蓄電素子３００の側方、つまり、それぞれの蓄電素子３００を両側方から挟む位置に配置されている。この仕切部１２０によって、外装体本体１００の内方には、蓄電素子３００を収容する空間である収容部１３０が形成されている。
【００６０】
なお、外装体本体１００は仕切部１２０を備えなくてもよい。この場合、例えば、隣り合う２つの蓄電素子３００の間に、樹脂等で形成されスペーサを配置することで、複数の蓄電素子３００の位置の安定化及び隣り合う２つの蓄電素子３００の容器３１０間の絶縁の確実性等の効果が得られる。
【００６１】
ここで、図２及び図４に示すように、外装体本体１００では、奥側（Ｙ軸方向プラス側）の側壁１１２の内面から、接続部５１０及び６１０が突出して設けられている。接続部５１０は、バスバー等の導電部材（図２では破線で概念的に図示）によって、負極リード板４２０に接続され、接続部６１０は、バスバー等の導電部材（図２では２点鎖線で概念的に図示）によって、正極リード板４１０に接続されている。接続部５１０及び接続部６１０のそれぞれは、外装体１１（具体的には外装体本体１００）が有する壁の外面と内面との間に配置された２枚の導電板のいずれか一方に接続されている。
【００６２】
次に、本実施の形態において、外装体１１に配置された２枚の導電板について、図５及び図６を用いて説明する。
【００６３】
図５は、実施の形態に係る外装体１１の側壁１１３の部分断面を示す断面図である。図６は、実施の形態に係る第一導電板５００及び第二導電板６００の配置位置を説明するための模式図である。なお、図５では、図４におけるＶ−Ｖ断面の一部を図示されている。また、図６では、第一導電板５００及び第二導電板６００の位置が明確になるように、蓋体２００及び仕切部１２０等の図示は省略されており、かつ、外装体本体１００の、ＸＹ平面に平行な断面（接続部５１０及び６１０を通る断面）が模式的に図示されている。
【００６４】
図５及び図６に示すように、本実施の形態に係る蓄電装置１０は、例えば、外装体１１（外装体本体１００）の側壁１１３の外面１１３ａと内面１１３ｂとの間に配置された第一導電板５００と、側壁１１３の厚み方向において、第一導電板５００と対向しかつ離隔して配置された第二導電板６００とを備える。第一導電板５００は、蓄電素子ユニット３５０の負極と接続されており、第二導電板６００は、蓄電素子ユニット３５０の正極と接続されている。
【００６５】
より具体的には、第一導電板５００には接続部５１０が設けられており、接続部５１０と蓄電素子ユニット３５０の負極端子３５２とが電気的に接続されることで、第一導電板５００は、蓄電素子ユニット３５０の負極と接続される。また、第二導電板６００には接続部６１０が設けられており、接続部６１０と蓄電素子ユニット３５０の正極端子３５１とが電気的に接続されることで、第二導電板６００は、蓄電素子ユニット３５０の正極と接続される。
【００６６】
また、本実施の形態では、第一導電板５００及び第二導電板６００は、例えばアルミニウム、アルミニウム合金、銅、または銅合金等の金属製の部材であり、厚みは０．１ｍｍ〜１ｍｍ程度である。また、側壁１１３等の、外装体１１の壁の厚みは数ｍｍ程度である。また、第一導電板５００及び第二導電板６００のそれぞれは、上記のアルミニウ等を素材とする１枚の金属板を折り曲げることで形成されている。また、接続部５１０は、例えば第一導電板５００を形成する金属板の一部を切り起こすことで、第一導電板５００に設けられている。接続部６１０も同様に、例えば第二導電板６００を形成する金属板の一部を切り起こすことで、第二導電板６００に設けられている。
【００６７】
上記構成を有する蓄電装置１０が例えば自動車等の車両に搭載され、かつその車両が他の物体と衝突するなどの事故が発生した場合を想定する。この場合において、当該事故により発生した金属片または金属棒等の導電物が外装体１１の側壁１１３に突き刺さった場合、その導電物が、蓄電素子ユニット３５０に至る前に、第一導電板５００と第二導電板６００とが導電物を介して導通される。これにより、蓄電素子ユニット３５０に含まれる複数の蓄電素子３００は、一括して放電経路が生じた状態となる。
【００６８】
その結果、複数の蓄電素子３００の電気エネルギーが早期に消費され、これにより、不安全事象の緩和が図られる。具体的には、例えば、側壁１１３を貫通した金属片が、１つの蓄電素子３００に刺さった場合を想定する。この場合、金属片が蓄電素子３００に刺さった時点では、複数の蓄電素子３００は外部短絡によって電気エネルギーの急速な消費が開始されている。そのため、仮に、金属片が刺さった蓄電素子３００が、内部短絡が生じることで熱を発した場合であっても、その熱によって、他の蓄電素子３００が不安全な状況に陥る可能性は低い。すなわち、蓄電装置１０は、異常の発生時における事態の悪化を抑制することができる。このように、本実施の形態に係る蓄電装置１０は、安全性が向上された蓄電装置１０である。
【００６９】
また、例えば、複数の蓄電素子３００のそれぞれに対して２枚の導電板を配置する場合と比較すると、これら導電板の配置のために消費される空間が少ない。このことは、蓄電装置１０の蓄電容量の増加（エネルギー密度の向上）等の観点から有利である。また、蓄電装置１０の製造コストの抑制の観点からも有利である。さらに、第一導電板５００は、側壁１１３の外面１１３ａと内面１１３ｂとの間に収められるため、これにより、例えば、蓄電装置１０の小型化も可能となる。
【００７０】
また、第一導電板５００は、側壁１１３の肉によって保護されるため、例えば、通常時における振動の繰り返し等に起因する第一導電板５００の損傷または劣化が抑制される。さらに、側壁１１３の厚み内（外面１１３ａと内面１１３ｂとの間）に配置された第一導電板５００は、上述のように金属製であり、これにより、例えば外装体１１の強度を向上させる補強部材としても機能する。これらの効果は、蓄電装置１０の安全性の向上に寄与する。
【００７１】
なお、上記の各種の効果は、第一導電板５００が蓄電素子ユニット３５０の正極と接続され、第二導電板６００が蓄電素子ユニット３５０の負極と接続された場合でも奏される。すなわち、第一導電板５００は、蓄電素子ユニット３５０の正極及び負極の一方と接続され、第二導電板６００は、蓄電素子ユニット３５０の正極及び負極の他方と接続されればよい。
【００７２】
また、本実施の形態では、第二導電板６００は、外装体１１の側壁１１３の外面１１３ａと内面１１３ｂとの間において、第一導電板５００と対向しかつ離隔して配置されている。
【００７３】
つまり、第一導電板５００だけでなく、第二導電板６００も、側壁１１３の厚み内に配置されている。そのため、これら２枚の導電板（５００、６００）の損傷または劣化が抑制される。また、外装体１１の強度もさらに向上する。さらに、２枚の導電板（５００、６００）が外装体１１と一体の部材として扱うことができるため、例えば、蓄電装置１０の組み立てを効率よく行うことができる。また、外装体１１の内部空間を消費せずに２枚の導電板（５００、６００）を配置することができるため、外装体１１の内部空間を、蓄電容量の増加のために、さらに有効に利用することができる。
【００７４】
ここで、２枚の導電板（５００、６００）が壁の厚み内に収容された外装体１１（外装体本体１００）は、例えばインサート成形によって作製することができる。例えば、型枠内に、第一導電板５００と第二導電板６００とを互いに離隔した状態で固定して、樹脂を流し込むことで、外装体本体１００を作製することができる。なお、第一導電板５００と第二導電板６００とを互いに離隔した状態で位置を固定する方法としては、治具を用いる方法、第一導電板５００と第二導電板６００との間に樹脂製の小さな部材を複数配置する方法などが例示される。また、後述する変形例１のように、第一導電板５００と第二導電板６００との間に絶縁シートを挟む方法も例示される。
【００７５】
また、例えば、金型内に第一導電板５００を配置して樹脂を流し込むことで、第一導電板５００のみが壁の厚み内に収められた外装体本体１００の半製品を作製する。その後、型枠内にその半製品と第二導電板６００とを配置して樹脂を流し込むことで、第一導電板５００及び第二導電板６００が壁の厚み内に収められた外装体本体１００が作製されてもよい。つまり、インサート成形を複数回行うことで、２枚の導電板（５００、６００）を有する外装体本体１００が作製されてもよい。
【００７６】
このように、外装体本体１００がインサート成形によって作製された場合、例えば側壁１１３において、第一導電板５００と第二導電板６００とは、側壁１１３の一部（厚み方向の一部）を挟んだ状態で離隔して配置されることになる。すなわち、側壁１１３を形成している絶縁性素材であるＰＢＴ等の樹脂が、第一導電板５００と第二導電板６００との間に充填される。これにより、例えば、通常時における、第一導電板５００と第二導電板６００との電気的な絶縁の確実性が向上する。また、第一導電板５００及び第二導電板６００の位置の固定が安定化する。
【００７７】
また、本実施の形態では、外装体１１の壁は、蓄電素子ユニット３５０を囲むように配置されており、第一導電板５００及び第二導電板６００は、蓄電素子ユニット３５０を囲むように配置されている。
【００７８】
具体的には、蓄電素子ユニット３５０を収容する外装体本体１００は、図６に示すように、対向して配置された一対の側壁１１３と、対向して配置された一対の側壁１１２とを有しており、一対の側壁１１３及び一対の側壁１１２の厚み内に第一導電板５００が配置されている。つまり、第一導電板５００は蓄電素子ユニット３５０を囲むように配置されている。このように配置された第一導電板５００に対向して第二導電板６００が配置されており、すなわち、第二導電板６００も蓄電素子ユニット３５０を囲むように配置されている。
【００７９】
この場合、蓄電素子ユニット３５０は、平面視において、ほぼ全周囲が第一導電板５００及び第二導電板６００に囲まれる。これにより、例えば衝突事故の発生時に金属片等が外装体１１に突き刺さった場合における、外部短絡の発生可能性が向上する。つまり、異常の発生時における事態の悪化の抑制がより確実化される。
【００８０】
また、本実施の形態では、第一導電板５００は、蓄電素子ユニット３５０の負極と接続されており、第二導電板６００は、蓄電素子ユニット３５０と第一導電板５００との間に配置されている。つまり、蓄電素子ユニット３５０に対して、低電位の第一導電板５００が外側であり、高電位の第二導電板６００が内側である。
【００８１】
ここで、例えば自動車にエンジンの始動用バッテリーとして蓄電装置１０が搭載された場合、一般に自動車の車体は蓄電装置１０の負極と電気的に接続される。従って、例えば衝突事故の発生時において、外装体１１の側壁１１２または１１３に突き刺さった金属片が、仮に第一導電板５００と接触した時点で移動が停止し、かつ、車体と接触している場合、金属片は、同電位の第一導電板５００と導通した状態となり、外部短絡は生じない。つまり、本実施の形態に係る蓄電装置１０は、外部短絡の発生を極力避けながら、最終的には外部短絡を発生させることができる構造を有している。
【００８２】
また、本実施の形態では、外装体１１は、上述のように、蓄電素子ユニット３５０を収容する外装体本体１００と、外装体本体１００の開口を塞ぐ蓋体２００とを有する。第一導電板５００は、外装体本体１００に含まれる側壁１１３（１１２）の外面１１３ａ（１１２ａ）と内面１１３ｂ（１１２ｂ）との間に配置されている。
【００８３】
この構成によれば、第一導電板５００及び第二導電板６００は外装体本体１００に配置されるため、例えば、蓋体２００は、第一導電板５００及び第二導電板６００の存在に制限されずに、形状及び構造等を決定することができる。そのため、例えば、蓋体２００を、回路基板等の部材の配置に最適な形状及び構造にすることができる。
【００８４】
以上、実施の形態に係る蓄電装置１０について説明したが、蓄電装置１０は、図１〜図６に示す態様とは異なる態様で、第一導電板５００及び第二導電板６００を備えてもよい。そこで、以下に、蓄電装置１０における第一導電板５００及び第二導電板６００に関する構造についての変形例を、上記実施の形態との差分を中心に説明する。
【００８５】
（変形例１）
図７は、実施の形態の変形例１に係る外装体１１の側壁１１３の部分断面を示す断面図である。なお、図７では、図５に示される断面と同じ位置の断面が図示されている。
【００８６】
図７に示す側壁１１３では、外面１１３ａと内面１１３ｂとの間に、第一導電板５００と第二導電板６００とが互いに対向しかつ離隔して配置されている。この点については、上記実施の形態と共通する。
【００８７】
しかし、本変形例に係る側壁１１３では、第一導電板５００と第二導電板６００との間に絶縁シート７００が介在している点で、上記実施の形態とは異なる。絶縁シート７００は、絶縁性の素材で形成された、厚さが例えば０．１ｍｍ〜１．０ｍｍ程度のシート状の部材である。絶縁シート７００の素材としては、ＰＥまたはＰＰ等の樹脂、シリコーン、ガラス繊維及びこれらの組み合わせが例示される。
【００８８】
このような構成を有する外装体本体１００は、例えば、型枠内に、第一導電板５００と第二導電板６００とを、これらの間に絶縁シート７００を挟んだ状態で配置し、樹脂を流し込むことで作製される。つまり、インサート成形によって、第一導電板５００、絶縁シート７００及び第二導電板６００を有する外装体本体１００を作製することができる。この場合、例えば、第一導電板５００と第二導電板６００とを互いに離隔するための治具等が不要であるため、１回のインサート成形による外装体本体１００の作製を容易に行うことができる。
【００８９】
（変形例２）
図８は、実施の形態の変形例２に係る外装体１１の底壁１１１の部分断面を示す断面図である。図９は、実施の形態の変形例２に係る第一導電板５００の構成を示す外観斜視図である。
【００９０】
図８に示すように、本変形に係る外装体１１では、底壁１１１の外面１１１ａと内面１１１ｂとの間に、第一導電板５００と第二導電板６００とが互いに対向しかつ離隔して配置されている。
【００９１】
より詳細には、本変形例では、第一導電板５００は、図９に示すように、側壁１１２及び１１３に配置される部分（側板部５００ａ）と、底壁１１１に配置される部分（底板部５００ｂ）とを有している。また、図示していないが、本変形例に係る第二導電板６００も同様に、側板部と底板部とを有しており、底壁１１１の外面１１１ａと内面１１１ｂとの間において、第一導電板５００の底板部５００ｂと、第二導電板６００の底板部とが対向しかつ離隔して配置されている。
【００９２】
つまり、本変形例では、外装体１１の壁の一部は、外装体１１の底面を形成する底壁１１１であり、第一導電板５００の一部（底板部５００ｂ）は、底壁１１１の外面１１１ａと内面１１１ｂとの間に配置されており、第二導電板６００の一部は、第一導電板５００の一部（底板部５００ｂ）と対向しかつ離隔して配置されている。
【００９３】
この構成によれば、例えば衝突事故の発生時に金属片等が外装体１１の底壁１１１に突き刺さった場合であっても、複数の発電素子を一括して外部短絡の状態にすることができる。つまり、異常の発生時において、事態の悪化を抑制できる可能性が向上する。
【００９４】
（変形例３）
図１０は、実施の形態の変形例３に係る外装体１１の側壁１１３の部分断面を示す断面図である。なお、図１０では、図５に示される断面と同じ位置の断面が図示されている。
【００９５】
図１０に示す側壁１１３では、外面１１３ａと内面１１３ｂとの間に、第一導電板５００が配置されており、第二導電板６００は、第一導電板５００と対向しかつ離隔して配置されている。この点については、上記実施の形態と共通する。
【００９６】
しかし、本変形例に係る側壁１１３では、第二導電板６００が、側壁１１３の外面１１３ａと内面１１３ｂとの間には配置されていない点で、上記実施の形態とは異なる。この場合であっても、第一導電板５００と第二導電板６００との間には、側壁１１３の内面１１３ｂを形成する部分が介在するため、通常時において第一導電板５００と第二導電板６００とは電気的に絶縁される。また、例えば衝突事故の発生時において、側壁１１３に金属片が突き刺さった場合、第一導電板５００と第二導電板６００とを導通させることができ、その結果、複数の蓄電素子３００を一括して外部短絡の状態にすることができる。つまり、異常の発生時における事態の悪化を抑制することができる。
【００９７】
また、本変形例では、側壁１１３等の壁の外面と内面との間に第一導電板５００のみを配置すればよいため、壁の外面と内面との間に第一導電板５００及び第二導電板６００の両方を配置する場合と比較すると、外装体１１（外装体本体１００）の作製が容易化される。
【００９８】
なお、図１０では図示していないが、第二導電板６００の、蓄電素子ユニット３５０側の面（図１０における左側の面）は、例えば、樹脂材料等によって絶縁コーティングがなされてもよい。
【００９９】
（他の実施の形態）
以上、本発明の実施の形態及びその変形例に係る蓄電装置１０について説明したが、本発明は、上記実施の形態及びその変形例に限定されるものではない。
【０１００】
例えば、上記実施の形態において、蓄電装置１０が備える複数の蓄電素子３００のそれぞれは、例えば角型のリチウムイオン二次電池であるとした。しかしながら、蓄電素子３００として採用される電池の種類及び形状等は特定の種類及び形状等には限定されない。
【０１０１】
例えば、円筒状の電池が蓄電素子３００として採用されてもよい。また、電極体をラミネートで封止したラミネート型電池が蓄電素子３００として採用されてもよい。いずれの場合であっても、第一導電板５００及び第二導電板６００を上述のように配置することで、異常の発生時における事態の悪化を抑制することができ、これにより安全性が向上される。
【０１０２】
また、上記実施の形態では、蓄電装置１０が備える全て（８個）の蓄電素子３００が電気的に接続されたものを、１つの蓄電素子ユニット３５０として扱った。しかし、蓄電装置１０が備える全ての蓄電素子３００のうちの一部かつ２以上の蓄電素子３００が、１つの蓄電素子ユニットとして扱われてもよい。
【０１０３】
例えば、２つの蓄電素子３００が２本のバスバー４００によって並列に接続されている場合、並列に接続された当該２つの蓄電素子３００を蓄電素子ユニットとし、この蓄電素子ユニットの負極を第一導電板５００と接続し、正極を第二導電板６００と接続する。これにより、衝突事故等に起因して第一導電板５００と第二導電板６００とが導通した場合、これら２つの蓄電素子３００は一括して外部短絡が生じた状態となる。つまり、蓄電装置１０が備える８個の蓄電素子３００のうちの少なくとも２つの蓄電素子３００の電気エネルギーが急速に消費される。これにより、異常の発生時における事態の悪化の抑制効果が生じる。
【０１０４】
また、外装体１１の外装体本体１００の作製の手法はインサート成形には限定されない。例えば、側壁１１３の外面１１３ａを形成する外壁材と、側壁１１３の内面１１３ｂを形成する内壁材とを用意し、外壁材と内壁材との間に、第一導電板５００及び第二導電板６００を、例えば絶縁シート７００（図７参照）を挟んだ状態で配置する。このような製造工程（組立工程）を経ることでも、側壁１１３の外面１１３ａと内面１１３ｂとの間に、第一導電板５００及び第二導電板６００が配置された外装体本体１００を作製することができる。
【０１０５】
より具体的には、例えば、外装体本体１００の全ての壁（一対の側壁１１２、一対の側壁１１３、及び底壁１１１）に対応する外壁材を一体成形することで外箱を作製し、全ての壁に対応する内壁材を一体成形することで内箱を作製する。さらに、外箱の内側に、第一導電板５００及び第二導電板６００を、例えば絶縁シート７００（図７参照）を挟んだ状態で配置し、その内側に内箱を配置する。このような工程により、少なくとも側壁１１３及び１１２の厚み内に、第一導電板５００及び第二導電板６００が配置された外装体本体１００を作製することができる。
【０１０６】
また、外装体本体１００を内箱と外箱とで構成する場合、第二導電板６００は、内箱と外箱との間ではなく、例えば、内箱の内方に配置されてもよい。
【０１０７】
図１１は、内箱１０１と外箱１０２とで構成される外装体本体１００における、第一導電板５００及び第二導電板６００の配置位置の例を示す図である。なお、図１１では、外装体本体１００等の構成要素の、ＺＸ平面に平行な断面が模式的に図示されており、蓋体２００等の図示は省略されている。このことは、後述する図１３及び図１４についても同じである。
【０１０８】
図１１に示すように、内箱１０１と外箱１０２との間に第一導電板５００を配置し、内箱１０１と、蓄電素子ユニット３５０との間に第二導電板６００を配置する。この場合であっても、蓄電素子ユニット３５０の正極及び負極のそれぞれに接続された２枚の導電板（第一導電板５００及び第二導電板６００）が対向して配置される。そのため、例えば、外装体本体１００に導電体が突き刺さった場合等において、第一導電板５００と第二導電板６００とが導通することで、複数の蓄電素子３００が外部短絡の状態となる。その結果、複数の蓄電素子３００の電気エネルギーが急速に消費される。
【０１０９】
外装体本体１００を内箱１０１と外箱１０２とで構成する場合、内箱１０１の内面（内箱内面１０１ａ）が、外装体１１の壁の「内面」であり、外箱１０２の外面（外箱外面１０２ａ）が、外装体１１の壁の「外面」となる。
【０１１０】
また、第一導電板５００及び第二導電板６００の素材は金属には限定さ
れない。例えば、導電性フィラーを含有する導電性樹脂によって第一導電板５００または第二導電板６００が形成されてもよい。この場合、例えば、導電性樹脂によって形成される第一導電板５００または第二導電板６００の形状の自由度が高くなる。
【０１１１】
また、外装体１１において、第一導電板５００及び第二導電板６００の少なくとも一方を含む壁は、側壁１１２、１１３、及び底壁１１１以外の壁であってもよい。
【０１１２】
例えば、外装体１１の天面（上面）を形成する壁を含む蓋体２００に、第一導電板５００及び第二導電板６００が対向かつ離隔して配置されてもよい。また、外装体本体１００の内方に配置された複数の仕切部１２０（図２参照）は、隣り合う２つの蓄電素子３００を仕切る壁であり、この仕切部１２０に、第一導電板５００及び第二導電板６００が対向かつ離隔して配置されてもよい。
【０１１３】
また、第一導電板５００及び第二導電板６００のそれぞれは、複数の金属板で構成されていてもよい。例えば、外装体本体１００の４つの側壁（２つの側壁１１２及び２つの側壁１１３）のそれぞれに、１枚の金属板を収容し、これら４枚の金属板のそれぞれの一部を側壁から露出させる。さらに、隣り合う２枚の金属板の露出した部分同士を電線で接続する。このようにして、互いに別体である４枚の金属板により、第一導電板５００または第二導電板６００を構成することができる。
【０１１４】
また、第一導電板５００及び第二導電板６００は、蓄電素子ユニット３５０の全周を覆うように配置されることは必須ではない。例えば、蓄電装置１０が車両に配置される場合において、車両事故等の際に、最も衝撃を受けやすいと考えられる箇所にのみ、第一導電板５００及び第二導電板６００を対向して配置してもよい。これにより、例えば、蓄電装置１０の構成が簡素化される。
【０１１５】
また、上記実施の形態では、第一導電板５００及び第二導電板６００は、側壁１１３等の壁に突き刺さった金属片等の導電物を介して導通するとした。しかしながら、第一導電板５００及び第二導電板６００の導通は、外部の金属片等の導電物の存在が必須ではない。
【０１１６】
例えば、蓄電装置１０に過大な衝撃が与えられた場合、外装体１１の少なくとも一部が圧潰することで、第一導電板５００と第二導電板６００とが接触し、これにより、複数の蓄電素子３００が一括して外部短絡が生じた状態となってもよい。また、外装体１１が高熱にさらされた場合に、外装体１１の少なくとも一部が溶解することで、第一導電板５００と第二導電板６００とが接触し、これにより、複数の蓄電素子３００が一括して外部短絡が生じた状態となってもよい。いずれの場合であっても、蓄電装置１０では、異常の発生時における事態の悪化が抑制される。
【０１１７】
また、蓄電装置１０が、例えば、拘束部材で拘束された複数の蓄電素子３００を備える場合、拘束部材に第二導電板としての役割を担わせてもよい。
【０１１８】
図１２は、拘束部材８００が第二導電板として用いられている蓄電装置１０ａの構成概要を示す斜視図である。なお、図１２では、外装体本体１００ａの開口を塞ぐ蓋体２００等の図示は省略されている。
【０１１９】
図１２に示す蓄電装置１０ａは、蓄電素子ユニット３５０ａを備える。蓄電素子ユニット３５０ａは、複数の蓄電素子３００を有する。複数の蓄電素子３００は、複数のバスバー４０１によって例えば直列に接続されている。また、複数の蓄電素子３００は、拘束部材８００によって、所定の並び方向（Ｘ軸方向）に圧迫された状態で固定されている。
【０１２０】
具体的には、拘束部材８００は、複数の蓄電素子３００の並び方向の両端に配置される一対のエンドプレート８０１と、一対のエンドプレート８０１を連結する一対の連結部材８０５とを有する。つまり、一対のエンドプレート８０１で複数の蓄電素子３００を挟み込んだ状態で、一対のエンドプレート８０１を一対の連結部材８０５によって連結する。これにより、複数の蓄電素子３００は、並び方向に圧迫された状態で固定される。
【０１２１】
エンドプレート８０１及び連結部材８０５はともに金属製であり導電性を有する。また、エンドプレート８０１及び連結部材８０５と、複数の蓄電素子３００とは、例えば樹脂製のスペーサ等によって絶縁されている。
【０１２２】
ここで、エンドプレート８０１と連結部材８０５とは、例えばボルト及びナットで接続されることで機械的及び電気的に接続されている。また。拘束部材８００（一対のエンドプレート８０１及び一対の連結部材８０５）は、複数の蓄電素子３００を囲むように配置されている。従って、この拘束部材８００に、上記実施の形態に係る第二導電板６００と同じ役割を持たせることが可能である。つまり、図１２に示す蓄電装置１０ａでは、第二導電板（６００）として、複数の蓄電素子３００を、複数の蓄電素子３００の並び方向に圧迫した状態で固定する拘束部材８００が備えられている、と表現できる。
【０１２３】
具体的には、図１２に示すように、例えば、拘束部材８００を蓄電素子ユニット３５０ａの正極に接続し、外装体本体１００ａの壁の外面と内面との間に配置された第一導電板５００（図１２では点線で表示）を、蓄電素子ユニット３５０ａの負極に接続する。これにより、蓄電装置１０ａにおいて、蓄電素子ユニット３５０ａを囲むように、負極電位の第一導電板５００と、正極電位の拘束部材８００とが配置される。
【０１２４】
従って、金属棒等の導電物が外装体本体１００ａの壁（具体的には側壁）に突き刺さった場合、その導電物が、蓄電素子ユニット３５０ａに至る前に、第一導電板５００と拘束部材８００とが導電物を介して導通される。これにより、蓄電素子ユニット３５０ａに含まれる複数の蓄電素子３００は、一括して放電経路が生じた状態となる。その結果、複数の蓄電素子３００の電気エネルギーが急速に消費され、これにより、不安全事象の緩和が図られる。
【０１２５】
このように、本来的には別用途の部材（図１２に示す蓄電装置１０ａでは、拘束部材８００）に第二導電板としての役割を担わせることで、例えば、蓄電装置１０ａの構成が簡略化される。
【０１２６】
なお、図１２に示す拘束部材８００の構造及び形状は一例であり、拘束部材８００は、各種の構造及び形状を採用し得る。例えば、拘束部材８００が、エンドプレート８０１と少なくとも１つの連結部材８０５とが一体化された部材を有してもよい。この場合、拘束部材８００を構成する部材の数を少なくすることができる。
【０１２７】
また、例えば、連結部材８０５が、図１２において、複数の蓄電素子３００の上下に配置されていてもよい。この場合、例えば衝突事故の発生時において、蓄電装置１０ａの蓋体（図１２に図示せず）に導電物が突き刺さった場合に、第一導電板５００と拘束部材８００とを導通させることができ、その結果、複数の蓄電素子３００の電気エネルギーを急速に消費させることがきる。
【０１２８】
また、例えば、複数の蓄電素子それぞれの容器が、第二導電板６００としての役割を担ってもよい。図１３は、蓄電素子３００ａの容器３１０が第二導電板として用いられている蓄電装置１０ｂの構成概要を示す模式図である。
【０１２９】
この形態では、複数の蓄電素子３００ａそれぞれの容器３１０が、例えば蓄電素子３００ａの正極電位と同電位になっている。具体的には、蓄電素子３００ａの正極と蓄電素子３００ａの容器３１０とが電気的に接続されている。この場合、蓄電素子ユニット３５０ｂの負極と接続された第一導電板５００と、複数の蓄電素子３００ａそれぞれの容器３１０の一部とは、対向する位置に配置される。この状態で、例えば過大な衝撃が与えられることで、第一導電板５００と少なくとも１つの蓄電素子３００ａの容器３１０とが接触した場合、第一導電板５００と、当該少なくとも１つの蓄電素子３００ａの容器３１０とが導通する。その結果、１以上の蓄電素子３００の電気エネルギーが急速に消費される。具体的には、複数の蓄電素子３００ａが直列に接続されている場合、第一導電板５００と接続された端部の蓄電素子３００ａから、第一導電板５００と接触した蓄電素子３００ａまでの間の１以上の蓄電素子３００ａが外部短絡の状態となる。これにより、当該１以上の蓄電素子３００ａの電気エネルギーが急速に消費され、これにより、事態の悪化が抑制される。
【０１３０】
なお、複数の蓄電素子３００ａの全てが並列に接続されている場合、第一導電板５００と、少なくとも１つの蓄電素子３００ａの容器３１０とが接触することで、全ての蓄電素子３００ａが一括して外部短絡の状態となる。つまり、全ての蓄電素子３００ａの電気エネルギーが急速に消費される。
【０１３１】
なお、蓄電素子ユニットの「正極」及び「負極」とはユニットを構成する蓄電素子群の両端の電極であり、「ユニット正極」及び「ユニット負極」と呼ぶこともできる。これに対し、蓄電素子の「正極」及び「負極」とは、１個の蓄電素子が備えている電極（正電極及び負電極）である。
【０１３２】
ここで、図１３に示す蓄電装置１０ｂでは、第二導電板（６００）は、複数の蓄電素子３００ａのそれぞれが有する容器３１０であって、当該蓄電素子３００ａの正極と電気的に接続された容器３１０によって構成されている、と表現することができる。なお、蓄電素子３００ａの容器３１０が、蓄電素子３００ａの負極と同電位の場合は、第一導電板５００は、蓄電素子ユニット３５０ｂの正極と接続されていればよい。
【０１３３】
このように、本来的には別用途の部材（図１３に示す蓄電装置１０ｂでは、容器３１０）に第二導電板としての役割を担わせることで、例えば、蓄電装置１０ｂの構成が簡略化される。
【０１３４】
また、外装体の外部に第一導電板５００が配置されてもよい。図１４は、外装体１１ａの外部に第一導電板５００が配置されている蓄電装置１０ｃの構成概要を示す模式図である。
【０１３５】
図１４に示すように、外装体１１ａの外部に第一導電板５００を配置した場合であっても、蓄電素子ユニット３５０の正極及び負極のそれぞれに接続された２枚の導電板（第一導電板５００及び第二導電板６００）が対向して配置される。そのため、例えば、過大な衝撃によって、外装体本体１００が損傷するような事態が生じた場合等において、第一導電板５００と第二導電板６００とが導通することで、複数の蓄電素子３００が外部短絡の状態となる。その結果、複数の蓄電素子３００の電気エネルギーが急速に消費される。
【０１３６】
なお、第一導電板５００の配置位置及び形状に特に限定はない。例えば、外装体１１ａの１つの側面のみに対向する位置に１枚の平板状の第一導電板５００が配置されていてもよい。また、例えば、底面及び天面のない角筒状に第一導電板５００が形成されていてもよい。また底面及び４つの側面を有する箱状に第一導電板５００が形成されていてもよい。第一導電板５００が箱状に形成されている場合、第一導電板５００は、蓄電装置１０の最外殻を形成する外箱として扱われてもよい。言い換えると、蓄電装置１０の最外殻を形成する外箱が、第一導電板５００としての役割を担うこともできる。この場合、第一導電板５００の内側の外装体１１ａは、外箱である第一導電板５００に収容された内箱である、ということもできる。
【０１３７】
第一導電板５００を構成する面が多くなるに従い、第一導電板５００の強度が向上し、その結果、例えば蓄電装置１０ｃの強度も向上する。また、第一導電板５００を構成する面が少ない場合は、例えば、第一導電板５００として用いる材料の節約、または、蓄電装置１０ｃの製造の簡易化が図られる。
【０１３８】
また、図１４では、第二導電板６００は、外装体１１ａの内部に配置されているが、第二導電板６００は、上記実施の形態と同様に、外装体１１ａの壁の外面と内面との間に配置されてもよい。また、外装体１１ａが樹脂製である場合、インサート成形によって第二導電板６００を有する外装体１１ａが作製されてもよい。
【０１３９】
ここで、外装体１１ａの外部に第一導電板５００が配置された構造を有する蓄電装置１０ｃは、例えば、以下のように表現される。
【０１４０】
蓄電装置１０ｃは、複数の蓄電素子３００を含む蓄電素子ユニット３５０と、蓄電素子ユニット３５０を覆う外装体１１ａと、外装体１１ａの外部に配置された第一導電板５００と、外装体１１ａの内部に配置された第二導電板６００であって、第一導電板５００と対向する位置に配置された第二導電板６００とを備える。第一導電板５００は、蓄電素子ユニット３５０の正極及び負極の一方と接続されており、第二導電板６００は、蓄電素子ユニット３５０の正極及び負極の他方と接続されている。
【０１４１】
なお、蓄電装置１０ｃが例えば自動車に搭載される場合、上記実施の形態に係る蓄電装置１０と同じく、第一導電板５００は、自動車の車体と同電位とされることが好ましい。具体的には、一般に自動車の車体は蓄電装置の負極と電気的に接続されるため、第一導電板５００は、蓄電素子ユニット３５０の正極及び負極のうち、負極に接続されていることが好ましい。
【０１４２】
また、上記の蓄電装置１０等において、第一導電板５００及び第二導電板６００のそれぞれは、蓄電素子ユニット３５０の負極または正極と直接的に接続されなくてもよい。例えば、第一導電板５００及び第二導電板６００の少なくとも一方は、蓄電素子ユニット３５０の正極または負極と、抵抗体を介して接続されていてもよい。
【０１４３】
例えば蓄電素子ユニット３５０の正極と第二導電板６００との間に、電気抵抗素子を有する抵抗器が配置されてもよい。また、例えば、例えば蓄電素子ユニット３５０の正極と第二導電板６００との間の導通路の少なくとも一部に、電気抵抗が比較的に高い配線材が配置されてもよい。蓄電素子ユニット３５０の負極と第一導電板５００との間についても同じである。
【０１４４】
このように、第一導電板５００及び第二導電板６００の少なくとも一方と蓄電素子ユニット３５０との電気的な接続に抵抗体を介在させることで、第一導電板５００及び第二導電板６００が導通した場合に、蓄電素子ユニット３５０に流れる電流が過大になりすぎる可能性が低減される。
【０１４５】
また、上記実施の形態及びその変形例に含まれる構成要素を任意に組み合わせて構築される形態も、本発明の範囲内に含まれる。例えば、変形例１の構成を変形例２に適用してもよいし、変形例２の構成を変形例３に適用してもよい。
【産業上の利用可能性】
【０１４６】
本発明は、リチウムイオン二次電池などの蓄電素子を複数備える蓄電装置等に適用できる。
【符号の説明】
【０１４７】
１０、１０ａ、１０ｂ、１０ｃ  蓄電装置
１１、１１ａ  外装体
１００、１００ａ  外装体本体
１０１  内箱
１０１ａ  内箱内面
１０２  外箱
１０２ａ  外箱外面
１１０  筐体
１１１  底壁
１１２、１１３  側壁
１１１ａ、１１２ａ、１１３ａ  外面
１１１ｂ、１１２ｂ、１１３ｂ、  内面
１２０  仕切部
１３０  収容部
２００  蓋体
２１０  正極外部端子
２２０  負極外部端子
３００、３００ａ  蓄電素子
３１０  容器
３１１  底面部
３１２  長側面部
３１３  短側面部
３１４  容器蓋部
３１９  ガス排出弁
３２０、３５１  正極端子
３３０、３５２  負極端子
３５０、３５０ａ、３５０ｂ  蓄電素子ユニット
４００、４０１  バスバー
４１０  正極リード板
４２０  負極リード板
５００  第一導電板
５００ａ  側板部
５００ｂ  底板部
５１０、６１０  接続部
６００  第二導電板
７００  絶縁シート
８００  拘束部材
８０１  エンドプレート
８０５  連結部材
【図１】
2018056098.tif 000003
【図２】
2018056098.tif 000004
【図３】
2018056098.tif 000005
【図４】
2018056098.tif 000006
【図５】
2018056098.tif 000007
【図６】
2018056098.tif 000008
【図７】
2018056098.tif 000009
【図８】
2018056098.tif 000010
【図９】
2018056098.tif 000011
【図１０】
2018056098.tif 000012
【図１１】
2018056098.tif 000013
【図１２】
2018056098.tif 000014
【図１３】
2018056098.tif 000015
【図１４】
2018056098.tif 000016